(57)【要約】【課題】構成要素の交換などが行われても、周波数が同じ第１，第２の信号の位相を同じにするように調節できる位相補正回路を提供する。【解決手段】本発明の位相補正回路は、第１の信号経路であるアンテナ１１からバッファ回路１４までを経由した第１の信号の位相と、第２の信号経路であるアンテナ２１、入力回路２２を経由した第２の信号の位相とをミキサ１５の入力端ＲＦ，Ｌｏにおいて一致、即ち、出力端１７の電圧を最大にする。そこで、ワンチップマイコン３２は、イニシャル時において、調整電圧Ｇに対応する所定範囲のデジタルデータを順次に出力し、Ｄ／Ａ変換器３３を介して移相器１３に供給し、ＬＰＦ１６の電圧をＡ／Ｄ変換器３１を介して受け取る。この場合、ワンチップマイコン３２は、出力したデジタルデータと、受け取ったデジタルデータとを対応させて記憶し、その中の最大値に対応する出力データを以降は保持する。【選択図】        図１
2004193938.tif 000002
【特許請求の範囲】
【請求項１】
与えられる位相調整電圧に応じて、通過する第１の信号の位相を調整する第１の信号経路と、第１の信号と同じ周波数の第２の信号が経由する第２の信号経路と、
第１の信号経路を経由した第１の信号と第２の信号経路を経由した第２の信号との位相差に対応した位相差検出電圧を出力する位相差検出回路と、
イニシャル時において、予め決められた各レベルの位相調整電圧を第１の信号経路に供給し、供給した各レベルの位相調整電圧に対応して位相差検出回路からそれぞれ出力される位相差検出電圧を受け取り、受け取った位相差検出電圧のうち、最も位相差が少ないことを示す最小位相差検出電圧を選択し、選択後は、最小位相差検出電圧に対応する位相調整電圧を第１の信号経路に供給する位相制御回路とを有する位相補正回路。
【発明の詳細な説明】
【０００１】
【発明の属する技術分野】
本発明は位相補正回路に関し、特に、同一の周波数を有する第１，第２の信号の位相、例えば、第１の信号経路を経由した第１の信号の位相と、第２の信号経路を経由した第２の信号の位相とを一致させるための位相補正回路に関する。
【０００２】
【従来の技術】
図２は、この種の位相補正回路の従来例を示すブロック図である。図２の位相補正回路２００は、第１の信号経路を構成するアンテナ５１、入力回路５２、移相器５３およびバッファ回路５４と、位相差検出回路を構成するミキサ５５およびロウパスフィルタ（ＬＰＦ）５６と、第２の信号経路を構成するアンテナ６１および入力回路６２と、可変抵抗器７０とを有する。この場合、アンテナ５１，６１は、同一の無線信号を受信し、それぞれ入力回路５２，６２を介して出力する。第１の信号経路において、入力回路５２の出力は、移相器５３に渡され、移相器５３は、可変抵抗器７０の抵抗値に従って、入力回路５２からの受信信号の位相を調整し、バッファ回路５４に引き渡し、バッファ回路５４は、受け取った信号に増幅などの必要な処理を加える。
【０００３】
位相差検出回路において、ミキサ５５は、一方の入力端ＲＦからバッファ回路５４の出力を、他方の入力端Ｌｏから入力回路６２の出力を入力して混合し、両信号の位相差に対応する混合結果を出力端ＩＦから出力し、ＬＰＦ５６は、高周波成分を除いて出力端５７に位相差に対応するレベルの直流電圧を出力する。この場合、ミキサ５５の入力端ＲＦ，Ｌｏにおける両信号の位相が同じになるように可変抵抗器７０によって移相器５３による移相程度を調整する。すなわち、可変抵抗器７０は、出力端５７の電圧を測定器（例えば、オッシロスコープ等）で監視しつつ、出力端５７の電圧が最大値を示すように調整される。
【０００４】
【発明が解決しようとする課題】
上述した従来の位相補正回路は、ミキサの２つの入力端における第１，第２の信号の位相が同じになるように、すなわち、ＬＰＦの出力が最大になるように移相器の移相度合いを調整するために、可変抵抗器を手動で調整しているので煩わしい。また、例えば、ミキサよりも前段の付属のケーブル等の構成要素を交換したりすると、その度に可変抵抗器の調整をやり直さなければならず煩わしい。
【０００５】
本発明は、上記の問題を解決するためになされたものであって、ケーブル等の構成要素の交換などが行われても、電源投入などのイニシャル時に、ミキサの２つの入力端における第１，第２の信号の位相が同じになるように、すなわち、ＬＰＦの出力が最大になるように自動的に移相器の移相度合いを調節する位相補正回路を提供することを目的とする。
【０００６】
【課題を解決するための手段】
前述した課題を解決するために、本発明は、与えられる位相調整電圧に応じて、通過する第１の信号の位相を調整する第１の信号経路と、第１の信号と同じ周波数の第２の信号が経由する第２の信号経路と、第１の信号経路を経由した第１の信号と第２の信号経路を経由した第２の信号との位相差に対応した位相差検出電圧を出力する位相差検出回路と、イニシャル時において、予め決められた各レベルの位相調整電圧を第１の信号経路に供給し、供給した各レベルの位相調整電圧に対応して位相差検出回路からそれぞれ出力される位相差検出電圧を受け取り、受け取った位相差検出電圧のうち、最も位相差が少ないことを示す最小位相差検出電圧を選択し、選択後は、最小位相差検出電圧に対応する位相調整電圧を第１の信号経路に供給する位相制御回路とを有する。
【０００７】
このような構成によれば、イニシャル時に位相制御回路は、予め決められた各レベルの位相調整電圧を第１の信号経路に供給し、供給した各レベルの位相調整電圧に対応して位相差検出回路からそれぞれ出力される位相差検出電圧を受け取る。そこで、受け取った位相差検出電圧のうち、最も位相差が少ないことを示す最小位相差検出電圧を選択し、選択後は、最小位相差検出電圧に対応する位相調整電圧を第１の信号経路に継続的に供給する。したがって、それ以降は、第１の信号経路を経由した第１の信号と第２の信号経路を経由した第２の信号との位相差は最小である状態を自動的に保つこととなる。
【０００８】
【発明の実施の形態】
以下、本発明の実施の形態について添付図面に基づいて説明する。図１は、本発明の位相補正回路の実施の形態を示すブロック図である。図１の位相補正回路１００は、第１の信号経路を構成するアンテナ１１、入力回路１２、移相器１３およびバッファ回路１４と、位相差検出回路を構成するミキサ１５およびロウパスフィルタ（ＬＰＦ）１５と、位相制御回路を構成するＡ／Ｄ変換器３１、ワンチップマイコン３２、Ｄ／Ａ変換器３３と、第２の信号経路を構成するアンテナ２１および入力回路２２とを有する。この場合、アンテナ１１，１２は、同一の無線信号を受信し、それぞれ入力回路１２，２２を介して出力する。
【０００９】
第１の信号経路において、入力回路１２の出力は、移相器１３に渡され、移相器１３は、調整電圧Ｇに従って、入力回路１２からの第１の信号の位相を調整し、バッファ回路１４に引き渡し、バッファ回路１４は、受け取った第１の信号に増幅などの必要な処理を加える。位相差検出回路において、ミキサ１５は、一方の入力端ＲＦからバッファ回路１４の出力を、他方の入力端Ｌｏから入力回路２２の出力を入力して混合し、両信号の位相差に対応する混合結果を出力端ＩＦから出力し、ＬＰＦ１６は、ミキサ１５の出力から高周波成分を除き、第１，第２の信号の位相差に対応するレベルの直流電圧を出力端１７に出力する。したがって、アンテナ１１からＬＰＦ１６までの動作は、図２で示した従来例のアンテナ５１からＬＰＦ５６までの動作と実質的に同じである。
【００１０】
イニシャル時（例えば、電源投入時）の位相制御回路において、ワンチップマイコン３２は、制御プログラムに沿って、調整電圧Ｇに対応するデジタルデータを最小のものから最大のものまで順次に出力し、Ｄ／Ａ変換器３３を介してアナログデータに変換し、調整電圧Ｇとして移相器１３に供給するとともに、ＬＰＦ１６から出力される電圧をＡ／Ｄ変換器３１を介してデジタルデータとして受け取る。この場合、ワンチップマイコン３２は、出力したデジタルデータと、受け取ったデジタルデータとを対応させて記憶し、記憶した受け取りデータの中の最大値（入力端ＲＦ，Ｌｏにおける第１，第２の信号の位相が最も近付いた場合）に対応する出力データを選出し、以降は選出したデータを継続して出力する。
【００１１】
上述したように、ワンチップマイコン３２は、アンテナ１１からバッファ回路１４までを通過する第１の信号と、アンテナ２１および入力回路２２を通過する第２の信号とがミキサ１５の入力端ＲＦ，Ｌｏにおいて同相となるように自動的に調整することができる。この動作は、電源が投入される毎に繰り返されるように設定可能であり、この場合、第１，第２の信号経路のケーブルの長さ等の個別部品の変更、あるいは、個別部品の配置の変更などの艤装条件の変化があっても、２経路の受信信号の最適な位相合わせが自動的に実行できる。より具体的には、例えば、２つのアンテナを用いた受信を最適に調整するような場合の応用に極めて有用である。
【００１２】
【発明の効果】
本発明の位相補正回路は、以上において説明したように構成されているので、イニシャル時において位相制御回路は、予め決められた各レベルの位相調整電圧を第１の信号経路に供給し、供給した各レベルの位相調整電圧に対応して位相差検出回路からそれぞれ出力される位相差検出電圧を受け取る。そこで、受け取った位相差検出電圧のうち、最も位相差が少ないことを示す最小位相差検出電圧を選択し、選択後は、最小位相差検出電圧に対応する位相調整電圧を第１の信号経路に継続的に供給する。そこで、それ以降は、第１の信号経路を経由した第１の信号と第２の信号経路を経由した第２の信号との位相差は最小である状態を自動的に保つこととなる。したがって、第１，第２の信号経路のケーブルの長さ等の個別部品の変更、あるいは、個別部品の配置の変更などの艤装条件の変化があっても、電源投入時などに、第１，第２の信号経路を通過する第１，第２の信号の最適な位相合わせが自動的に行われるという効果がある。
【図面の簡単な説明】
【図１】本発明の位相補正回路の実施の形態を示すブロック図である。
【図２】位相補正回路の従来例を示すブロック図である。
【符号の説明】
１１，２１  アンテナ、１２，２２  入力回路、１３  移相器、１４  バッファ回路、１５  ミキサ、１６  ＬＰＦ、１７  出力端、３１  Ａ／Ｄ変換器、３２  ワンチップマイコン、３３  Ｄ／Ａ変換器、１００  位相補正回路。
【図１】
2004193938.tif 000003
【図２】
2004193938.tif 000004